(57)【要約】【課題】  本発明は、通信相手機器の検索結果を表示するとき、検索した旨や検索結果の相手機器別の数、相手機器から受信した文字列を表示し、わかりやすく、通信相手機器の選択の操作性のよいデジタルカメラを提供する。【解決手段】  本発明のデジタルカメラは、被写体像を撮像して画像データとして出力する撮像手段と、画像データを画像ファイルとして記録する記録手段と、外部機器と通信回線を構築してデータの送受信を行う通信手段と、通信可能な相手機器を検索する相手機器検索手段とを具備している。更に、本発明のデジタルカメラは相手機器検索手段によって通信可能な相手機器が検索された場合検索された旨を表示する相手機器表示手段を有することに特徴がある。よって、検索結果がわかりやすく、操作性の優れたデジタルカメラを提供できる。【選択図】        図５
2006279932.tif 000002
【特許請求の範囲】
【請求項１】
被写体像を撮像して画像データとして出力する撮像手段と、前記画像データを画像ファイルとして記録する記録手段と、外部機器と通信回線を構築してデータの送受信を行う通信手段と、通信可能な相手機器を検索する相手機器検索手段とを具備するデジタルカメラにおいて、
前記相手機器検索手段によって通信可能な相手機器が検索され場合検索された旨を表示する相手機器表示手段を有することを特徴とするデジタルカメラ。
【請求項２】
被写体像を撮像して画像データとして出力する撮像手段と、前記画像データを画像ファイルとして記録する記録手段と、外部機器と通信回線を構築してデータの送受信を行う通信手段と、通信可能な相手機器を検索する相手機器検索手段とを具備するデジタルカメラにおいて、
前記相手機器検索手段によって通信可能な相手機器が検索され場合検索された相手機器を表示する相手機器表示手段を有することを特徴とするデジタルカメラ。
【請求項３】
前記相手機器表示手段は、検索された相手機器の数を表示する請求項２記載のデジタルカメラ。
【請求項４】
前記相手機器表示手段は、検索結果を表示できる動作時に表示する請求項１〜３のいずれかに記載のデジタルカメラ。
【請求項５】
前記相手機器検索手段による検索対象を特定する検索対象特定手段を有する請求項１〜４のいずれかに記載のデジタルカメラ。
【請求項６】
被写体像を撮像して画像データとして出力する撮像手段と、前記画像データを画像ファイルとして記録する記録手段と、外部機器と通信回線を構築してデータの送受信を行う通信手段と、通信可能な相手機器を検索する相手機器検索手段とを具備するデジタルカメラにおいて、
前記相手機器検索手段による検索結果を文字列で表示する相手機器表示手段を有することを特徴とするデジタルカメラ。
【請求項７】
前記通信手段を介して受信した文字列の文字コード種別を判断して表示可能な文字コード種別の文字列を前記相手機器表示手段により表示する請求項６記載のデジタルカメラ。
【発明の詳細な説明】
【技術分野】
【０００１】
本発明はデジタルカメラに関し、詳細には少なくとも無線伝送機能を有する周辺機器と通信を行うことが可能なデジタルカメラに関する。
【背景技術】
【０００２】
近年、簡単な操作で画像を撮影してデジタル画像データに変換できるデジタルカメラが広く普及されている。このデジタルカメラで撮影した画像を印刷して写真にする場合には、通常一旦撮影したデジタル画像データをコンピュータに取り込み、そのコンピュータで画像処理を施した後、そのコンピュータに接続されているカラープリンタに出力して印刷している。最近では、このコンピュータを介することなく、デジタルカメラからカラープリンタにデジタル画像データを伝送して印刷することができるプリントシステムや、デジタルカメラに装着されたメモリカードにデジタル画像データを格納してそのメモリカードをカラープリンタに装填して印刷できるフォトダイレクトプリント方法も普及されている。
【０００３】
そのデジタル画像データをデジタルカメラから周辺のカラープリンタに伝送するプリントシステムの一例として従来よりいくつか提案されている。その一つとして特許文献１によれば、カメラ電源がオンになるとあるいはネットワーク接続の開始時に、通信可能な周辺の無線通信機器の検索を行い、検索結果通信可能な無線通信機器が存在した場合当該無線通信機器をリスト表示するデジタルカメラが提案されている。
【特許文献１】特開２００３−０６０９５９号公報
【発明の開示】
【発明が解決しようとする課題】
【０００４】
しかしながら、特許文献１では、バックグラウンドで相手機器を検索する場合相手機器が発見されてもいつ発見されたのか、又は何が発見されたのかわからなかった。また、接続相手機器を検索して検索結果の相手機器名を表示するとき、受信した機器種類の情報より表示していたので、機器種別しか表示できなく、機器固有の名称等表示できなかった。更に、機器種類が増えた場合に機器を表す表示するのに対応できなかった。また、相手機器より文字列を受信して表示する場合でも、受信した文字コードに対応したフォントをもっていなければ表示できなかった。
【０００５】
本発明はこれらの問題点を解決するためのものであり、通信相手機器の検索結果を表示するとき、検索した旨や検索結果の相手機器別の数、相手機器から受信した文字列を表示し、わかりやすく、通信相手機器の選択の操作性のよいデジタルカメラを提供することを目的とする。
【課題を解決するための手段】
【０００６】
前記問題点を解決するために、本発明のデジタルカメラは被写体像を撮像して画像データとして出力する撮像手段と、画像データを画像ファイルとして記録する記録手段と、外部機器と通信回線を構築してデータの送受信を行う通信手段と、通信可能な相手機器を検索する相手機器検索手段とを具備している。更に、本発明のデジタルカメラは相手機器検索手段によって通信可能な相手機器が検索された場合検索された旨を表示する相手機器表示手段を有することに特徴がある。よって、検索結果がわかりやすく、操作性の優れたデジタルカメラを提供できる。
【０００７】
また、本発明のデジタルカメラは、相手機器検索手段によって通信可能な相手機器が検索された場合検索された相手機器を表示する相手機器表示手段を有する。よって、操作性の優れたデジタルカメラを提供できる。
【０００８】
更に、相手機器表示手段は検索された相手機器の数を表示することにより、わかりやすい操作性の優れたデジタルカメラを提供できる。
【０００９】
また、相手機器表示手段は検索結果を表示できる動作時に表示することにより、表示できない動作後表示できる動作になったとき相手機器の発見状況がわかり、操作性を向上できる。
【００１０】
更に、相手機器検索手段による検索対象を特定する検索対象特定手段を有することにより、所望の相手機器のみを検索して表示することができる。
【００１１】
また、別の発明としてのデジタルカメラは、相手機器検索手段による検索結果を文字列で表示する相手機器表示手段を有している。よって、検索結果がわかりやすくなり、操作性の優れたデジタルカメラを提供できる。
【００１２】
更に、通信手段を介して受信した文字列の文字コード種別を判断して表示可能な文字コード種別の文字列を相手機器表示手段により表示することにより、少なくとも対応表示文字が少ない場合でもあっても相手機器を表示でき、検索結果がわかりやすくなり、操作性の優れたデジタルカメラを提供できる。
【発明の効果】
【００１３】
本発明のデジタルカメラは相手機器検索手段によって通信可能な相手機器が検索された場合検索された旨を表示する。よって、検索結果がわかりやすく、操作性の優れたデジタルカメラを提供できる。
【発明を実施するための最良の形態】
【００１４】
図１は本発明のデジタルカメラの外観図であり、同図の（ａ）は平面図、同図の（ｂ）は正面図、同図の（ｃ）は背面図である。同図の（ａ），（ｂ）に示すように、本発明のデジタルカメラ１００の筐体の上面には、リレーズシャッタ１０１、モードダイヤル１０２及びサブＬＥＤ１０７が設けられている。また、同図の（ｂ）に示すように、本発明のデジタルカメラ１００の筐体の正面には、鏡胴ユニット１０３、リモコン受光部１０４、測距ユニット１０５、光学ファインダ１０６、ストロボ発光部１０８が設けられ、更には筐体の側面にはカード／電池蓋１０９が設けられている。そして、同図の（ｃ）に示すように、本発明のデジタルカメラ１００の筐体の背面には、光学ファインダ１０６、電源スイッチ１１０、ＬＣＤモニタ１１１、ＭＥＮＵスイッチ１１２、ＯＫスイッチ１１３、ディスプレイスイッチ１１４、左／画像確認スイッチ１１５、下／マクロスイッチ１１６、右スイッチ１１７、上／ストロボスイッチ１１８、セルフタイマ／削除スイッチ１１９、ズームスイッチ１２０、オートフォーカスＬＥＤ１２１、ストロボＬＥＤ１２２が設けられている。
【００１５】
また、本発明のデジタルカメラの構成を示すブロック図である図２に示すように、鏡胴ユニット１０３は、被写体の光学画像を取り込むズームレンズ１２３及びズーム駆動モータ１２４を有するズーム光学系１２５と、フォーカスレンズ１２６及びフォーカス駆動モータ１２７を有するフォーカス光学系１２８と、絞り１２９及び絞りモータ１３０を有する絞りユニット１３１と、メカシャッタ１３２及びメカシャッタモータ１３３を有するメカシャッタユニット１３４と、各モータを駆動するモータドライバ１３５とを含んで構成されている。そして、モータドライバ１３５は、リモコン受光部１０４からの入力、そして操作部キーユニット１３６の操作入力に基づく、後述する制御部１４１内にあるＣＰＵブロック１４１−３からの駆動指令により駆動制御される。ＲＯＭ１３７には、ＣＰＵブロック１４１−３にて解読可能なコードで記述された、制御プログラムや制御するためのパラメータが格納されている。この本実施の形態例のデジタルカメラ１００の電源がオン状態になると、プログラムは不図示のメインメモリにロードされ、ＣＰＵブロック１４１−３はそのプログラムに従って装置各部の動作を制御するとともに、制御に必要なデータ等を、一時的に、ＲＡＭ１３８及び後述する制御部１４１内にあるＬｏｃａｌ  ＳＲＡＭ１４１−４に保存する。なお、ＲＯＭ１３７に書き換え可能なフラッシュＲＯＭを使用することで、制御プログラムや制御するためのパラメータを変更することが可能となり、機能のバージョンアップが容易に行うことができる。
【００１６】
また、ＣＣＤ１３９は、光学画像を光電変換するための固体撮像素子であり、Ｆ／Ｅ（フロントエンド）−ＩＣ１４０は、画像ノイズ除去用相関二重サンプリングを行うＣＤＳ１４０−１と、利得調整を行うＡＧＣ１４０−２と、デジタル信号変換を行うＡ／Ｄ変換器１４０−３と、ＣＣＤ１信号処理ブロック１４１−１より垂直同期信号（以下、ＶＤと略す）、水平同期信号（以下、ＨＤと略す）を供給されてＣＰＵブロック１４１−３によって制御されるＣＣＤ１３９及びＦ／Ｅ−ＩＣ１４０の駆動タイミング信号を発生するＴＧ１４０−４と、を含んで構成されている。制御部１４１は、ＣＣＤ１３９よりＦ／Ｅ−ＩＣ１４０の出力データにホワイトバランス設定やガンマ設定を行い、また前述したように、ＶＤ信号、ＨＤ信号を供給するＣＣＤ１信号処理ブロック１４１−１と、フィルタリング処理により輝度データ・色差データへの変換を行うＣＣＤ２信号処理ブロック１４１−２と、前述した装置各部の動作を制御するＣＰＵブロック１４１−３と、前述した制御に必要なデータ等を一時的に保存するＬｏｃａｌ  ＳＲＡＭ１４１−４と、パソコンなどの外部機器とＵＳＢ通信を行うＵＳＢブロック１４１−５と、パソコンなどの外部機器とシリアル通信を行うシリアルブロック１４１−６と、ＪＰＥＧ圧縮・伸張を行うＪＰＥＧ  ＣＯＤＥＣブロック１４１−７と、画像データのサイズを補間処理により拡大／縮小するＲＥＳＩＺＥブロック１４１−８と、画像データを液晶モニタやＴＶなどの外部表示機器に表示するためのビデオ信号に変換するＴＶ信号表示ブロック１４１−９と、撮影された画像データを記録するメモリカードの制御を行うメモリカードコントローラブロック１４１−１０とを含んで構成されている。
【００１７】
更に、ＳＤＲＡＭ１４２は、制御部１４１で画像データに各種処理を施す際に、画像データを一時的に保存する。保存される画像データは、例えばＣＣＤ１３９から、Ｆ／Ｅ−ＩＣ１４０を経由して取りこんで、ＣＣＤ１信号処理ブロック１４１−１でホワイトバランス設定、ガンマ設定が行われた状態の「ＲＡＷ−ＲＧＢ画像データ」やＣＣＤ２信号処理ブロック１４１−２で輝度データ・色差データ変換が行われた状態の「ＹＵＶ画像データ」、ＪＰＥＧ  ＣＯＤＥＣブロック１４１−７で、ＪＰＥＧ圧縮された「ＪＰＥＧ画像データ」などである。カードスロットル１４３は、着脱可能な、メモリカード、ＬＡＮカード、無線ＬＡＮカード、Bluetoothカードなどのカード１４４を装着するためのスロットルである。内蔵メモリ１４５は、前述したカードスロットル１４３にカード１４４が装着されていない場合でも、撮影した画像データを記憶できるようにするためのメモリである。ＬＣＤドライバ１４６は、表示部であるＬＣＤモニタ１１１を駆動するドライブ回路であり、ＴＶ信号表示ブロック１４１−９から出力されたビデオ信号を、ＬＣＤモニタ１１１に表示するための信号に変換する機能も有している。ＬＣＤモニタ１１１は、撮影前に被写体の状態を監視する、撮影した画像を確認する、カード１４４や内蔵メモリ１４５に記録した画像データを表示するなどを行うためのモニタである。ビデオＡＭＰ１４７は、ＴＶ信号表示ブロック１４１−９から出力されたビデオ信号を、７５Ωインピーダンス変換するためのアンプであり、ビデオジャック１４８は、ＴＶなどの外部表示機器と接続するためのジャックである。ＵＳＢコネクタ１４９は、パソコンなどの外部機器とＵＳＢ接続を行うためのコネクタである。シリアルドライバ回路１５０は、パソコンなどの外部機器とシリアル通信を行うために、シリアルブロック１４１−６の出力信号を電圧変換するための回路であり、ＲＳ−２３２Ｃコネクタ１５１は、パソコンなどの外部機器とシリアル接続を行うためのコネクタである。ＳＵＢ−ＣＰＵ１５２は、ＲＯＭ・ＲＡＭをワンチップに内蔵したＣＰＵであり、操作キーユニット１３６やリモコン受光部１０４の出力信号を操作者の操作情報として、ＣＰＵブロック１４１−３に出力したり、ＣＰＵブロック１４１−３より出力されるカメラの状態を、セルフＬＥＤ１０７、オートフォーカスＬＥＤ１２１、ストロボＬＥＤ１２２、ブザー１５３の制御信号に変換して、出力する。サブＬＥＤ１０７は、例えば撮影可能枚数などを表示するための表示部であり、ＬＣＤドライバ１５６はＳＵＢ−ＣＰＵ１５２の出力信号によりサブＬＣＤ１０７を駆動するためのドライブ回路である。オートフォーカスＬＥＤ１２１は、撮影時の合焦状態を表示するためのＬＥＤであり、ストロボＬＥＤ１２２は、ストロボ充電状態を表すためのＬＥＤである。
【００１８】
なお、このオートフォーカスＬＥＤ１２１とストロボＬＥＤ１２２を、メモリカードアクセス中などの別の表示用途に使用しても良い。操作キーユニット１３６は、操作者が操作するキー回路であり、リモコン受光部１０４は、操作者が操作したリモコン送信機の信号の受信部である。音声記録ユニット１５４は、操作者が音声信号を入力するマイク１５４−１と、入力された音声信号を増幅するマイクＡＭＰ１５４−２と、増幅された音声信号を記録する音声記録回路１５４−３と、を含んで構成されている。音声再生ユニット１５５は、記録された音声信号をスピーカから出力できる信号に変換する音声再生回路１５５−１と、変換された音声信号を増幅し、スピーカを駆動するためのオーディオＡＭＰ１５５−２と、音声信号を出力するスピーカ１５５−３とを含んで構成されている。
【００１９】
また、Bluetooth対応機器への接続は、Bluetooth回路１５７により行う。もしくは、Bluetooth回路１５７がない場合は、カードスロットル１４３にBluetoothカードを接続することにより、Bluetooth対応機器と接続することができる。イーサネット（登録商標）への接続は、イーサネット（登録商標）接続回路もしくは、無線イーサネット（登録商標）接続回路（図示せぬ）により行う。もしくは、イーサネット（登録商標）回路がない場合は、カードスロットル１４３にＬＡＮカードもしくは、無線ＬＡＮカードを接続することにより、ネットワークへ接続することができる。
【００２０】
次に、本発明の一実施の形態例のデジタルカメラの検索処理について説明する。なお、相手機器がパソコン（以下ＰＣと略す）、プリンタ、ＰＤＡ、携帯電話等であるとする。
図３は本発明の一実施の形態例に係るデジタルカメラの検索処理に至る処理動作を示すフローチャートである。同図において、デジタルカメラの電源が投入されると（ステップＳ１０１；ＹＥＳ）、デジタルカメラの初期化が行われる（ステップＳ１０２）。初期化完了後（ステップＳ１０３；ＹＥＳ）、下記の処理フローに従った相手機器の検索処理が開始され、またこれと同時にデジタルカメラの動作が行われる（ステップＳ１０４）。なお、デジタルカメラの動作は、通常の撮影や再生などの動作で、このデジタルカメラの処理のバックグラウンドで、相手機器の検索処理が行われる。
【００２１】
ここで、相手機器の検索処理について詳細に説明する。図４は周辺の相手機器の検索処理を示すフローチャートである。なお、Bluetoothを例に説明する。図４では周辺の相手機器が３つあるときの例である。先ず、検索処理が開始されると周辺の相手機器の検出を行う。周辺の相手機器の検出は図４のステップＳ２０１のように、周辺の相手機器１〜３へ（Inquiry）要求を行う。周辺のBluetoothデバイスの相手機器１〜３は、（Inquiry）要求を受けると、BD_ADDR(Bluetooth機器固有のアドレス)、デバイスクラス(PC、PDA、ケータイ、プリンタなど)の（Inquiry Result）を送信する。そして、このデータを受信して、図５の（ａ）に示すようなBD_ADDR,デバイスクラスの情報を得る。これらのデータは、デジタルカメラ内に記憶しておく。ある一定時間（Inquiry）要求に対する応答を待ち、次に図４のステップＳ２０２のように、（Inquiry Result）で得られたBD_ADDRに対して、図５の（ｂ）に示すような、機器名の問合せである(Remote Name Request)を行い、Bluetoothデバイスの相手機器名を取得する。次に、図４のステップＳ２０３のように、図５の（ｃ）に示すような（Service Search Request)を行い、周辺にあるBluetooth機器の対応サービス情報を取得する。ここで、対応サービスとは、Bluetoothで規定されている、ダイヤルアップ接続プロファイル(Dial-UP Networking Profile)やBIP（Basic Imaging Profile）などである。そして、これらのデータも、デジタルカメラ内に記憶しておく。このようにして発見された周辺の相手機器の詳細情報の取得の手順は図６に示す通りである。なお、図６の手順はBIPのGet Capabilityの手順である。先ず、所定の相手機器（例えば相手機器１）と接続する（Connect : Image Push Service）。そして、相手機器情報取得コマンド(GET Request : Get Capabilities)を送信して、相手機器の詳細情報を取得し、その後切断処理を行う。相手機器の詳細情報は、図７のDPOF対応しているかどうか、対応エンコード方式（JPEG、GIFなど）、対応最大ファイルサイズ、マルチ印刷対応か、インデックス印刷対応かなどである。
【００２２】
図８は本実施の形態例のデジタルカメラにおける検索処理を示すフローチャートである。同図において、上記の検索処理フローに従った相手機器の検索処理が開始されると、周辺の相手機器の検索を行う（ステップＳ３０１）。周辺の相手機器の検索結果を記憶しておく（ステップＳ３０２）。ここでは、相手機器の詳細情報は取得しないで、通信可能な相手機器の全てを検索する（ステップＳ３０３；ＹＥＳ）。通信可能とは物理的には同じインターフェースをもっており、互いの情報を交換するための同じプロトコルを持っている場合のような態様をいう。次に、発見された相手機器の詳細情報を順番に取得していく（ステップＳ３０４；ＮＯ、ステップＳ３０５）。そして、発見した相手機器の情報を表示する（ステップＳ３０６）。なお、詳細情報とは相手機器の種類や対応機能などであり、能力とはプリンタなど相手機器ごとの能力（対応紙種類や対応紙サイズ）などである。また、このプリンタなど相手機器ごとの能力はこの時点で取得しないようにして、実際に通信を行うとき取得するようにしてもよい。そして、発見された相手機器の全ての詳細情報が取得したら、検索処理を終了する（ステップＳ３０４；ＹＥＳ）。ここで、図９のように発見された相手機器のアイコン２０１を図１及び図２のＬＣＤモニタ１１１に表示する。図９では発見された相手機器がＰＣのとき、再生画面上にＰＣのアイコンを表示している。
【００２３】
図１０は本実施の形態例のデジタルカメラにおける別の検索処理を示すフローチャートである。同図において、上記の検索処理フローに従った相手機器の検索処理が開始されると、周辺の相手機器の検索を行う（ステップＳ４０１）。周辺の相手機器の検索結果を記憶しておく（ステップＳ４０２）。ここでは、相手機器の詳細情報は、取得しないで、通信可能な相手全てを検索する（ステップＳ４０３）。ここでは、相手機器の詳細情報は、取得しないで、通信可能な相手全てを検索する。そして、相手機器が発見されたら（ステップＳ４０３；ＹＥＳ）、カメラで撮影した画像を再生しているときの画面である図１１に示すように、図１及び図２のＬＣＤモニタ１１１に発見した相手機器を案内ガイド２０２として表示する（ステップＳ４０４）。
【００２４】
図１２は本実施の形態例のデジタルカメラにおける別の検索処理を示すフローチャートである。同図において、上記の検索処理フローに従った相手機器の検索処理が開始されると、周辺の相手機器の検索を行う（ステップＳ５０１）。周辺の機器の検索結果を記憶しておく（ステップＳ５０２）。ここでは、相手機器の詳細情報は取得しないで、通信可能な相手全てを検索する（ステップＳ５０３；ＹＥＳ）。通信可能とは物理的には同じインターフェースをもっており、互いの情報を交換するための同じプロトコルを持っている場合のような態様をいう。次に、発見された相手機器の詳細情報を順番に取得していく（ステップＳ５０４；ＮＯ、ステップＳ５０５）。そして、発見した相手機器の情報を表示する（ステップＳ５０６）。なお、詳細情報とは相手機器の種類や対応機能などであり、能力とはプリンタなど相手機器ごとの能力（対応紙種類や対応紙サイズ）などである。また、このプリンタなど相手機器ごとの能力はこの時点で取得しないようにして、実際に通信を行うとき取得するようにしてもよい。そして、発見された相手機器の全ての詳細情報が取得したら、相手検索の終了の指示があるか否か判定して終了の指示があればここで終了し（ステップＳ５０４；ＹＥＳ、ステップＳ５０７；ＹＥＳ）、終了の指示がなければ一定期時間、例えば３０秒待機して再度検索する（ステップＳ５０７；ＮＯ、ステップＳ５０８；ＹＥＳ、ステップＳ５０１〜Ｓ５０６）。このようにすることで、定期的に周辺の相手機器が検索でき、無駄な電力を使用しないで済む。発見された相手機器の詳細情報を取得した後、図１３のように相手機器の種類のアイコン２０１と、発見された台数２０３をＬＣＤモニタ１１１に表示する。図１３では、ＰＣ１台、プリンタ１台詳細情報取得後、表示してる状態のときに、詳細情報を取得した相手機器がＰＣとプリンタの場合であった場合、ＰＣが２台、プリンタ１台が発見されたことを表している。
【００２５】
図１４は再生メニュー表示状態を示す図である。同図に示すような、発見機器を表示する場所がない画面を表示中に、相手機器が発見された場合は、相手機器の情報は表示せず、再生メニュー状態が終わり、図９のような再生画面に戻ったときに、再生メニュー中に発見された情報を表示する。例えば、図１５のようにＰＣ１台が発見された状態で、図１４のメニュー画面状態になり、このメニュー状態中にＰＣ１台、プリンタ１台発見されたときは、発見時は表示せず、図９の画面に戻ったときに図１３のようにＰＣ２台、プリンタ１台発見されたことを図１及び図２のＬＣＤモニタ１１１に表示している。
【００２６】
なお、第１の実施の形態例における検索処理では、検索対象を全ての相手機器としたがこれに限定すること必要はなく、相手機器を特定した上で検索を行ってもよい。
【００２７】
図１６は本実施の形態例における検索時受信する相手機器情報のフォーマットを示す図である。同図におけるデータは、相手機器検索時(図４参照)に取得したデータである。機器種類は、図４の（Inquiry）に対する応答のデバイスクラスの情報で、機器名文字コード種別、機器名文字コードは、（Remote Name Request）に対する応答の相手機器名の詳細情報である。例えば図１７のような、検索時に受信した相手機器の情報を受信した場合、図１８に示すように２種類の検索結果情報を図１及び図２のＬＣＤモニタ１１１に表示する。
【００２８】
図１９は本実施の形態例における検索時受信する相手機器情報の別のフォーマットを示す図である。同図に示すように、２種類の文字コードを使用することができる。例えばデジタルカメラが表示できるコードがＵＳ−ＡＳＣＩＩのみの場合であって相手機器の情報が図２０の場合、デジタルカメラではＵＳ−ＡＳＣＩＩは表示できるが、Ｓｈｉｆ−ＪＩＳは表示できない場合、表示する文字列は“ＰＲＩＮＴＥＲ  ＣＸ８０００”となる。一方、デジタルカメラが表示できるコードがＵＳ−ＡＳＣＩＩ及びＳｈｉｆｔ−ＪＩＳの場合、相手機器の情報が図２０の場合、デジタルカメラではＵＳ−ＡＳＣＩＩ、Ｓｈｉｆ−ＪＩＳを表示できるので、表示する文字列は“プリンタＣＸ８０００”となる。
【００２９】
また、デジタルカメラが表示できるコードがＵＳ−ＡＳＣＩＩ、Ｓｈｉｆｔ−ＪＩＳの一部の場合、相手機器の情報が図２０の場合、デジタルカメラでは、ＵＳ−ＡＳＣＩＩとＳｈｉｆｔ−ＪＩＳの一部が表示できるので、Ｓｈｉｆｔ−ＪＩＳの文字列の文字“プリンタＣＸ８０００”のそれぞれの文字が表示できるか確認する。更に、Ｓｈｉｆｔ−ＪＩＳの「タ」の文字がない場合、デジタルカメラが「タ」という文字を表示できない場合は、表示する文字列はＵＳ−ＡＳＣＩＩの“ＰＲＩＮＴＥＲ  ＣＸ８０００”となる。また、Ｓｈｉｆｔ−ＪＩＳの「プリンタＣＸ８０００」全ての文字がある場合、「プリンタＣＸ８０００」全ての文字あるので表示する文字列は“プリンタＣＸ８０００”となる。
【００３０】
なお、本発明は上記実施の形態例に限定されるものではなく、特許請求の範囲内の記載であれば多種の変形や置換可能であることは言うまでもない。
【図面の簡単な説明】
【００３１】
【図１】本発明のデジタルカメラの外観図である。
【図２】本発明のデジタルカメラの構成を示すブロック図である。
【図３】本発明の一実施の形態例に係るデジタルカメラの検索処理に至る処理動作を示すフローチャートである。
【図４】相手機器の検索処理を示すフローチャートである。
【図５】図４のInquiry Result、Remote Name Request Complete及びSevice Serch Responseの内容を示す図である。
【図６】発見された周辺の相手機器の詳細情報の取得の手順を示すフローチャートである。
【図７】相手機器の詳細情報の内容を示す図である。
【図８】本実施の形態例のデジタルカメラにおける検索処理を示すフローチャートである。
【図９】本実施の形態例のデジタルカメラにおける検索結果の表示例を示す図である。
【図１０】本実施の形態例のデジタルカメラにおける別の検索処理を示すフローチャートである。
【図１１】本実施の形態例のデジタルカメラにおける検索結果の別の表示例を示す図である。
【図１２】本実施の形態例のデジタルカメラにおける別の検索処理を示すフローチャートである。
【図１３】本実施の形態例のデジタルカメラにおける検索結果の別の表示例を示す図である。
【図１４】再生メニュー表示状態を示す図である。
【図１５】本実施の形態例のデジタルカメラにおける検索結果の別の表示例を示す図である。
【図１６】本実施の形態例における検索時受信する相手機器情報のフォーマットを示す図である。
【図１７】図１６の相手機器情報のフォーマットの一例を示す図である。
【図１８】図１７の相手機器情報のフォーマットに基づく表示例を示す図である。
【図１９】本実施の形態例における検索時受信する相手機器情報の別のフォーマットを示す図である。
【図２０】図１９の相手機器情報のフォーマットの一例を示す図である。
【符号の説明】
【００３２】
１１１；ＬＥＤモニタ、２０１；アイコン、２０２；案内ガイド、
２０３；台数。
【図１】
2006279932.tif 000003
【図２】
2006279932.tif 000004
【図３】
2006279932.tif 000005
【図４】
2006279932.tif 000006
【図５】
2006279932.tif 000007
【図６】
2006279932.tif 000008
【図７】
2006279932.tif 000009
【図８】
2006279932.tif 000010
【図９】
2006279932.tif 000011
【図１０】
2006279932.tif 000012
【図１１】
2006279932.tif 000013
【図１２】
2006279932.tif 000014
【図１３】
2006279932.tif 000015
【図１４】
2006279932.tif 000016
【図１５】
2006279932.tif 000017
【図１６】
2006279932.tif 000018
【図１７】
2006279932.tif 000019
【図１８】
2006279932.tif 000020
【図１９】
2006279932.tif 000021
【図２０】
2006279932.tif 000022